(57)【要約】【課題】下部構造物に対して上部構造物を分割ゴム支承体で支承し、分割ゴム支承体の空隙部分に土砂等の堆積、目詰まりをさせることなく、長期間に亘ってその支承性能を維持可能な構造物の分割式支承装置の提供。【解決手段】本発明の構造物の分割式支承装置は、上部構造物３０側に固定される上沓１１と、下部構造物２０、２１側に固定される下沓１２と、上沓と下沓の間に設けられ、下部構造物に対して上部構造物を支承するとともに、上部構造物と、下部構造物とが相対変位したとき追従して変位可能な２つ以上に分割されている分割ゴム支承体１５、１６〜１９とを備えたものである。分割された分割ゴム支承体の隣接する外周面間の空隙には、空隙を覆って異物を侵入させないとともに、分割ゴム支承体が変位したとき、その変位に影響を与えない覆い体４０が設けられている。【選択図】図３
2009030255.tif 000002
【特許請求の範囲】
【請求項１】
上部構造物側に固定される上沓と、下部構造物側に固定される下沓と、前記上沓と前記下沓の間に設けられ、前記下部構造物に対して前記上部構造物を支承するとともに、前記上部構造物と前記下部構造物とが相対変位したとき追従して変位可能なゴム支承体とを備えた構造物の支承装置において、
前記ゴム支承体は、２つ以上に分割され、隣接する外周面間に所定の間隔を有するように形成されている分割ゴム支承体であり、
前記分割ゴム支承体には、隣接する前記外周面間の空隙を覆って、前記空隙に土砂を含む異物を侵入させないとともに、前記分割ゴム支承体が変位するとき、その変位に影響を与えることがない覆い体が設けられている
ことを特徴とする構造物の分割式支承装置。
【請求項２】
請求項１に記載された構造物の分割式支承装置において、
前記覆い体は、前記空隙を挟む一方の前記分割ゴム支承体と他方の前記分割ゴム支承体に、前記空隙側に突出するように上下方向の所定の間隔毎に、一方の前記分割ゴム支承体と他方の前記分割ゴム支承体とから交互に突出するように設けられた弾性体からなる複数の瓦状覆い板部で構成され、
前記瓦状覆い板部は、前記瓦状覆い板部の下方側の部位の下に次の瓦状覆い板部の上方側の部位が位置するように重なり合って配置されることで前記空隙を覆うものである
ことを特徴とする構造物の分割式支承装置。
【請求項３】
請求項２に記載された構造物の分割式支承装置において、
前記瓦状覆い板部には、表面側の両方の端部に、第１雨水誘導用凸部が設けられている
ことを特徴とする構造物の分割式支承装置。
【請求項４】
請求項２または３に記載された構造物の分割式支承装置において、
前記瓦状覆い板部には、下方側裏面に凸状の通気用突起が設けられ、適度な通気性を確保できるようにした
ことを特徴とする構造物の分割式支承装置。
【請求項５】
請求項２から４のいずれか１項に記載された構造物の分割式支承装置において、
前記瓦状覆い板部には、下方側表面に略Ｖ字状の第２雨水誘導用凸部が設けられている
ことを特徴とする構造物の分割式支承装置。
【請求項６】
請求項１に記載された構造物の分割式支承装置において、
前記覆い体は、前記空隙を挟む両側の前記分割ゴム支承体に、各々、前記空隙側に突出するように設けられた弾性体からなる長板状覆い板部であり、略Ｌ字状に弾性変形させた先端部を互いに当接させることで、前記空隙を覆っている
ことを特徴とする構造物の分割式支承装置。
【請求項７】
請求項１に記載された構造物の分割式支承装置において、
前記覆い体は、前記空隙を挟む両側の前記分割ゴム支承体に、各々、前記空隙側に突出するように、一方の先端に凸状部を、他方の先端に凹状部を形成した長板状覆い板部であり、前記凹状部に前記凸状部を嵌合させた状態を維持して、前記空隙を覆っている
ことを特徴とする構造物の分割式支承装置。
【請求項８】
請求項１に記載された構造物の分割式支承装置において、
前記覆い体は、前記空隙を挟む両側の前記分割ゴム支承体に、各々、前記空隙側に突出するように設けられた長板状覆い板部であり、一方の前記分割ゴム支承体側の長板状覆い板部と他方の前記分割ゴム支承体側の長板状覆い板部とを、前記長板状覆い板部の厚さ方向に重なるように配置して、前記空隙を覆っている
ことを特徴とする構造物の分割式支承装置。
【請求項９】
請求項８に記載された構造物の分割式支承装置において、
一方の前記長板状覆い板部、及び、他方の前記長板状覆い板部には、各々、対向する側に櫛歯が形成され、一方の前記長板状覆い板部側の櫛歯と他方の前記長板状覆い板部側の櫛歯を噛み合わせることで、前記空隙を覆っているものである
ことを特徴とする構造物の分割式支承装置。
【請求項１０】
請求項１に記載された構造物の分割式支承装置において、
前記覆い体は、前記空隙に挿入されるとともに、前記空隙を挟む両側の前記分割ゴム支承体に装着され、弾性変形可能な形状に形成されたパッキンである
ことを特徴とする構造物の分割式支承装置。
【請求項１１】
請求項１に記載された構造物の分割式支承装置において、
前記覆い体は、弾性変形可能な形状に形成され、前記空隙を挟む両側の前記分割ゴム支承体、または、前記空隙を挟む両側の前記上沓と前記下沓に跨って設けられた覆い板部材である
ことを特徴とする構造物の分割式支承装置。
【請求項１２】
請求項１から１１のいずれか１項に記載された構造物の分割式支承装置において、
前記上部構造物は橋桁であり、前記下部構造物は橋台または橋脚である
ことを特徴とする構造物の分割式支承装置。
【請求項１３】
請求項１から１２のいずれか１項に記載された構造物の分割式支承装置において、
前記分割ゴム支承体は、静的せん断弾性率のＧ値が１４以上のゴム支承体で製作されている
ことを特徴とする構造物の分割式支承装置。
【発明の詳細な説明】
【技術分野】
【０００１】
本発明は、構造物を分割されたゴム支承体で支承する構造物の分割式支承装置に関する。さらに詳しくは、分割されたゴム支承体の空隙を覆って、長期間に亘って、水平分力散支承、免震支承の性能を低下させることがなく構造物を支承することができる構造物の分割式支承装置に関する。
【背景技術】
【０００２】
橋梁の支承装置は、車両が走行する橋桁（上部構造物）等を支承するためのものであり、金属製支承装置、ゴム製支承装置等が知られている。阪神・淡路大地震以降は、ゴム製支承装置が多く採用されるようになっており、ゴム製支承装置には水平力分散支承、免震支承などの種類がある。大荷重を支承する橋梁等構造物の支承装置においては、大型のゴム支承体を使用する必要がある。しかし、大型のゴム支承体を一体成形するのは製造技術、設備等で困難な面があり、複数のゴム支承体に分割して支承することが知られている（例えば、特許文献１，特許文献２，特許文献３参照）。
【０００３】
特に、地震時の水平力の支持機能と、常時の回転吸収性能の効果を発揮させるためには、高い静的せん断弾性率のＧ値〔例えばＧ１４（１．４ＭＰａ）以上〕のゴム支承体が必要であるが、高いＧ値のゴム支承体を大型化させるのは製作技術上困難な状況である。
また、分割したゴム支承体の間にスポンジ材等を挿入し、側面開口部にコーキング処理を施すこともあるが、何の処置を行わない場合もあった。
【特許文献１】特開平１０−２９２３１３号公報
【特許文献２】特許第２５８０４９８号公報
【特許文献３】特許第３０７９４１９号公報
【発明の開示】
【発明が解決しようとする課題】
【０００４】
しかしながら、ゴム支承装置は、橋梁等構造物の施工後はほとんどメンテナンスされることはない。従って、ゴム支承装置は、風雨に曝される野外に設置されており、長期間使用していると、分割されたゴム支承体の空隙に土砂、粉塵、ゴミ等異物の侵入・堆積や堆積物による目詰まりが発生する。また、堆積した土砂に雑草が根を生やし生育してしまうことも生じる。このようなことが起こると、鉛直方向載荷時の側面膨出に影響を与え、水平力分散支承、免震支承としての機能を発揮できないおそれがあるという問題点があった。例えば、地震発生時など支承装置の性能が最大限発揮されなくてはいけない場合に、設計、施工時に設計された性能、または、予定された性能が発揮できないおそれがあるという問題点もあった。
【０００５】
本発明は、このような従来の技術の問題点を解決するためになされたもので、次の目的を達成する。
【０００６】
本発明の目的は、分割されたゴム支承体で構造物を支承する分割式支承装置において、分割された空隙部分に土砂等異物を堆積させたり、目詰まりさせることなく、長期間に亘ってその支承性能を維持して発揮できることが可能な構造物の分割式支承装置を提供することにある。
【課題を解決するための手段】
【０００７】
本発明は、前記目的を達成するための次の手段を有する。
本発明１の構造物の分割式支承装置は、上部構造物側に固定される上沓と、下部構造物側に固定される下沓と、前記上沓と前記下沓の間に設けられ、前記下部構造物に対して前記上部構造物を支承するとともに、前記上部構造物と前記下部構造物とが相対変位したとき追従して変位可能なゴム支承体とを備えた構造物の支承装置において、前記ゴム支承体は、２つ以上に分割され、隣接する外周面間に所定の間隔を有するように形成されている分割ゴム支承体であり、前記分割ゴム支承体には、隣接する前記外周面間の空隙を覆って、前記空隙に土砂を含む異物を侵入させないとともに、前記分割ゴム支承体が変位するとき、その変位に影響を与えることがない覆い体が設けられていることを特徴とする。
【０００８】
本発明２の構造物の分割式支承装置は、本発明１において、
前記覆い体は、前記空隙を挟む一方の前記分割ゴム支承体と他方の分割ゴム支承体に、前記空隙側に突出するように上下方向の所定の間隔毎に、一方の前記分割ゴム支承体と他方の前記分割ゴム支承体とから交互に突出するように設けられた弾性体からなる複数の瓦状覆い板部で構成され、前記瓦状覆い板部は、前記瓦状覆い板部の下方側の部位の下に次の瓦状覆い板部の上方側の部位が位置するように重なり合って配置されることで前記空隙を覆うものであることを特徴とする。
【０００９】
本発明３の構造物の分割式支承装置は、本発明２において、
前記瓦状覆い板部には、表面側の両方の端部に、第１雨水誘導用凸部が設けられていることを特徴とする。
【００１０】
本発明４の構造物の分割式支承装置は、本発明２または３において、
前記瓦状覆い板部には、下方側裏面に凸状の通気用突起が設けられ、適度な通気性を確保できるようにしたことを特徴とする。
【００１１】
本発明５の構造物の分割式支承装置は、本発明２から４において、
前記瓦状覆い板部には、下方側表面に略Ｖ字状の第２雨水誘導用凸部が設けられていることを特徴とする。
【００１２】
本発明６の構造物の分割式支承装置は、本発明１において、
前記覆い体は、前記空隙を挟む両側の前記分割ゴム支承体に、各々、前記空隙側に突出するように設けられた弾性体からなる長板状覆い板部であり、略Ｌ字状に弾性変形させた先端部を互いに当接させることで、前記空隙を覆っていることを特徴とする。
【００１３】
本発明７の構造物の分割式支承装置は、本発明１において、
前記覆い体は、前記空隙を挟む両側の前記分割ゴム支承体に、各々、前記空隙側に突出するように、一方の先端に凸状部を、他方の先端に凹状部を形成した長板状覆い板部であり、前記凹状部に前記凸状部を嵌合させた状態を維持して、前記空隙を覆っていることを特徴とする。
【００１４】
本発明８の構造物の分割式支承装置は、本発明１において、
前記覆い体は、前記空隙を挟む両側の前記分割ゴム支承体に、各々、前記空隙側に突出するように設けられた長板状覆い板部であり、一方の前記分割ゴム支承体側の長板状覆い板部と他方の前記分割ゴム支承体側の長板状覆い板部とを、前記長板状覆い板部の厚さ方向に重なるように配置して、前記空隙を覆っていることを特徴とする。
【００１５】
本発明９の構造物の分割式支承装置は、本発明８において、
一方の前記長板状覆い板部、及び、他方の前記長板状覆い板部には、各々、対向する側に櫛歯が形成され、一方の前記長板状覆い板部側の櫛歯と他方の前記長板状覆い板部側の櫛歯を噛み合わせることで、前記空隙を覆っているものであることを特徴とする。
【００１６】
本発明１０の構造物の分割式支承装置は、本発明１において、
前記覆い体は、前記空隙に挿入されるとともに、前記空隙を挟む両側の前記分割ゴム支承体に装着され、弾性変形可能な形状に形成されたパッキンであることを特徴とする。
【００１７】
本発明１１の構造物の分割式支承装置は、本発明１において、
前記覆い体は、弾性変形可能な形状に形成され、前記空隙を挟む両側の前記分割ゴム支承体、または、前記空隙を挟む両側の前記上沓と前記下沓に跨って設けられた覆い板部材であることを特徴とする。
【００１８】
本発明１２の構造物の分割式支承装置は、本発明１から１１において、
前記上部構造物は橋桁であり、前記下部構造物は橋台または橋脚であることを特徴とする。
【００１９】
本発明１３の構造物の分割式支承装置は、本発明１から１２において、
前記分割ゴム支承体は、静的せん断弾性率のＧ値が１４以上のゴム支承体で製作されていることを特徴とする。
【発明の効果】
【００２０】
本発明の構造物の分割式支承装置は、空隙に土砂等異物が侵入しないように、かつ、分割ゴム支承体の変形に影響を与えないように覆い体が設けられているため、長期間に亘って、水平力分散支承、免震支承の性能低下が発生しない。すなわち、いつ発生するかわからない地震発生時において、いつでも、水平力分散支承、免震支承の性能を発揮することができる。
【００２１】
また、本発明の覆い体は、分割ゴム支承体の鉛直荷重載荷時の側面膨出に影響を与えることがなく、せん断変形に対する無指向性の確実な追従性能を得ることができる。
さらに、静的せん断弾性率のＧ値が高い分割ゴム支承体を採用可能であることから、高い破断伸びや変形性能を確保することができ、大荷重の橋梁等構造物を支持するゴム支承装置として最適なものとすることができる。また、高いＧ値のゴム支承体の製作も容易であり、大荷重用のゴム支承装置において、支承（支持）性能の向上、信頼性の向上が図れる。
【発明を実施するための最良の形態】
【００２２】
以下、本発明の構造物の分割式支承装置の実施の形態を、図面に基づいて詳細に説明する。
【００２３】
図１は、本発明の分割式支承装置に支承された橋梁の全体図、図２は、本発明の構造物の分割式支承装置の平面図、図３は、分割式支承装置を一部断面にした正面図である。図４は、瓦状覆い板部を示す図で、（ａ）は平面図、（ｂ）は正面図、（ｃ）は側面図である。図５は、分割ゴム支承体を部分的に示した斜視図である。図６は、分割ゴム支承体（第１、第２ゴム支承体）の変形と覆い体（瓦状覆い板部）との関係を示す説明図であって、（ａ）は分割ゴム支承体に変形が生じていない状態を示す説明図、（ｂ）は分割ゴム支承体に変形が生じた状態を示す説明図である。
【００２４】
図１から６に基づいて、本発明の実施の形態について、説明を行う。
図１に示すように、橋梁１は、橋桁３０、３０が、橋台２０、橋脚２１に分割式支承装置１０を介して支承されている。図２、３に示すように、分割式支承装置１０は、上沓１１、分割ゴム支承体１５、下沓１２とから構成されている。分割ゴム支承体１５は、矩形状の第１ゴム支承体１６、第２ゴム支承体１７、第３ゴム支承体１８、第４ゴム支承体１９とからなっている。第２ゴム支承体１７は、ゴム層５２と上側厚板補強板５１、薄板補強板５３、下側厚板補強板５４とが複数層に亘って交互の積層されて一体加硫成形されたものである。上側厚板補強板５２が上沓１１に、下側厚板補強板５４が下沓１２に各々ボルト等締結部材で固定されている。なお、第１ゴム支承体１６、第３ゴム支承体１８、第４ゴム支承体１９も、第２ゴム支承体１７と同様な構成のものである。
【００２５】
第１ゴム支承体１６〜第４ゴム支承体１９は、例えば、５００〜６００ｍｍの平面視正方形の大きさで、静的せん断弾性率で、例えばＧ１４（１４ＭＰａ）、Ｇ１６（１６ＭＰａ）、Ｇ１８（１８ＭＰａ）などＧ１４以上のゴム支承体である。そして、これらを平面的に並べて配置することで、高いＧ値を使用した水平力分散支承構造を採用した水平力分散支承装置とすることができる。なお、ゴム支承体は、例えば、５００＊１０００ｍｍの平面視矩形の大きさのものを２個並べたものであってもよく、高いＧ値のゴム支承体が製作可能な大きさのものを複数個並べて、構造物を支持できるように構成したものであればよい。
【００２６】
なお、ゴム層と補強板が積層された分割式の水平力分散支承装置に代えて、分割式の免震支承装置にであってもよい。例えば、高減衰性ゴムと補強板とが複数層に亘って交互に積層され、一体に加硫成型された分割式の免震支承装置としてもよい。高減衰性ゴムと補強板とからなる積層ゴムはゴム自体に高い減衰性能を有する高減衰性ゴムを材料にして製作されたものであるとよい。すなわち、積層ゴムには、例えば、天然ゴム、イソプレンゴム等のジエン系ゴム、エチレンプロピレンゴム、ブチルゴム等から選択される１種以上のゴムに、カーボンブラック、シリカ、樹脂等の配合剤、また一般的にゴム工業で使用される加硫剤、老化防止剤等より構成される高減衰性ゴムと呼ばれている材料を使用することが好適である。さらに、分割式の免震支承装置は鉛プラグを積層ゴムに埋め込んだものであってもよい。
【００２７】
この場合も、第１ゴム支承体〜第４ゴム支承体は、例えば、５００〜６００ｍｍの平面視正方形の大きさで、静的せん断弾性率で、例えばＧ１４、Ｇ１６、Ｇ１８などＧ１４以上のゴム支承体である。そして、これらを平面的に並べて配置することで、高いＧ値を使用した分割式免震支承装置を構成するとよい。なお、ゴム支承体は、例えば、５００＊１０００ｍｍの平面視矩形の大きさのものを２個並べたものであってもよく、高いＧ値のゴム支承体が製作可能な大きさのものを複数個並べて、構造物を支持できるように構成したものであればよい。
【００２８】
〔覆い体の実施の形態１〕
第１ゴム支承体１６〜第４ゴム支承体１９には、各々、隣接するゴム支承体間の空隙１０ａ〜１０ｄを覆うように覆い体４０が一体に設けられている。図４〜６に従って、第１ゴム支承体１６と第２ゴム支承体１７との間に設けられた覆い体４０について説明する。
【００２９】
第１ゴム支承体１６の側部には、第２ゴム支承体１７側に張り出すように瓦状覆い板部４２、４４、４６が設けられている。瓦状覆い板部４２、４４、４６は、例えば老化防止剤が混練りされたゴム材料で形成されたものあり、第１ゴム支承体１６に、加硫接合部４２ａ、４４ａ、４６ａが加硫成形されて接合されている。第２ゴム支承体１７の側部には、第１ゴム支承体１６側に張り出すように瓦状覆い板部４１、４３、４５が設けられている。瓦状覆い板部４１、４３、４５は、例えば老化防止剤が混練りされたゴム材料で形成されたものあり、第２ゴム支承体１７に、加硫接合部４１ａ、４３ａ、４５ａが加硫成形されて接合されている。瓦状覆い板部のゴム材料としては、積層ゴム、天然ゴム、クロロプレンゴム、エチレンプロピレンゴムなどが好適である。そして、瓦状覆い板部４１の下部側の下に瓦状覆い板部４２の上部側が位置するように重ね合わされている。
【００３０】
同様に、瓦状覆い板部４２の下部側の下に瓦状覆い板部４３の上部側が、瓦状覆い板部４３の下部側の下に瓦状覆い板部４４の上部側が、瓦状覆い板部４４の下部側の下に瓦状覆い板部４５の上部側が、瓦状覆い板部４５の下部側の下に瓦状覆い板部４６の上部側が位置するように重ね合わされている。すなわち、屋根瓦のように瓦状覆い板部４１〜４６が重ね合わされている。
【００３１】
瓦状覆い板部４１〜４６の表面には、両方の端部には、凸状に形成された第１雨水誘導用凸部４１ｂ〜４６ｂが形成されている。このようにすることで、表面側の雨水が瓦状覆い板部４１〜４６の裏面側に回り込まないようにしている。すなわち、５角形状の下方側に集まり、流出、落下、滴下等していく。すなわち、雨水の大部分は瓦状覆い板部４１〜４６の表面に沿って流れ、空隙側に侵入しにくくしている。
【００３２】
第１ゴム支承体１６、第２ゴム支承体１７に変形が生じていない状態を図６（ａ）に示している。第１ゴム支承体１６、第２ゴム支承体１７に矢印Ｐ方向から負荷が加わり、第１ゴム支承体１６、第２ゴム支承体１７が変形した状態を図６（ｂ）に示している。どちらの場合も、第１ゴム支承体１６と、第２ゴム支承体１７との間の空隙１０ａを瓦状覆い板部４１〜４６が覆って、空隙１０ａ内に土砂、ゴミ、粉塵等異物が侵入して堆積すること、空隙が目詰まりすることを防止している。また、分割式支承装置１０の変形に影響を与えることがない。
【００３３】
図示はしていないが、矢印Ｐ方向の反対側に負荷が加わった場合も同様な変形をし、分割式支承装置１０の変形を阻害しない。また、水平面内で矢印Ｐ方向と直交する方向に負荷が加わった場合には、瓦状覆い板部４１〜４６が弾性変形可能なゴム等弾性部材で形成されており、瓦状覆い板部４１〜４６自体が変形することで分割式支承装置１０の変形を阻害することがない。すなわち、せん断変形に対して、確実な無指向性を確保することができる。言い換えると、地震等が発生して分割式支承装置１０に変形が生じようとした場合、分割式支承装置１０の変形を阻害することがない。
【００３４】
同様な構成の覆い体４０（瓦状覆い板部４１〜４６）が、第２ゴム支承体１７と第３ゴム支承体１８との間の空隙１０ｂ、第３ゴム支承体１８と第４ゴム支承体１９との間の空隙１０ｃ、第４ゴム支承体１９と第１ゴム支承体１７との間の空隙１０ｄを覆うように設けられている（図２参照）。
【００３５】
図７は、実施の形態１の覆い体の変形例を示す覆い体の側面図である。
この覆い体１４０は、瓦状覆い板部１４１、１４２の下部の裏面（内面）に凸状の突起（通気用突起）１４１ｂ、１４２ｂを形成したものである。このようにすることで、土砂などの異物の侵入を防止しながら、通気部１４１ｃ、１４２ｃを介して適度な通気性を確保することで、目地部の結露防止、侵入した雨水などの乾燥を促進するものである。すなわち、狭隘な目地部の湿潤状態を維持しないようにし、長期間に亘る性能低下が発生しないようにしている。
【００３６】
図８は、実施の形態１の覆い体の他の変形例を示す覆い体の正面図である。
この覆い体２４０は、瓦状覆い板部２４１、２４２、２４３、２４４・・の下部側の外面（表面）に、正面視Ｖの字状の凸部（第２雨水誘導用凸部）２４１ｄ、２４２ｄ、２４３ｄ、２４４ｄ・・を形成したものである。このようにすることで、土砂等異物の侵入を防止しながら、雨水や浸透水を確実に排水できるようにしたものである。すなわち、雨水等は、５角形状の覆い板の下方先端部である中央部近傍に集まり、中央部または中央部近傍から流出、落下又は滴下していくので、確実に排水できる。この他の変形例は、前述した形態より、積極的に下方先端部に雨水を集めるので排水の確実性が更に高まる。
なお、覆い体は、裏面の凸状の突起、外面のＶの字状の凸部の両方が形成されたものであってもよい。
【００３７】
〔覆い体の実施の形態２〕
図９は、覆い体の実施の形態２を示す図であって、図９（ａ）は覆い体の斜視図、（ｂ）は平面図である。
分割ゴム支承体３１６、３１７には、各々、対向する側の側面に、薄板状で長手方向に延びた弾性変形可能な長板状覆い板部３４１、３４２が設けられている。長板状覆い板部３４１、３４２は例えば老化防止剤が混練りされたゴム材料で形成されたものであり、第１ゴム支承体３１６、第２ゴム支承体３１７に、各々、一体に加硫成形されている。長板状覆い板部のゴム材料としては、積層ゴム、天然ゴム、クロロプレンゴム、エチレンプロピレンゴムなどが好適である。そして、第１ゴム支承体３１６、第２ゴム支承体３１７を上沓、下沓に固定する際、Ｌ字状に変形させた長板状覆い板部３４１、３４２を当接させ、空隙を覆うようにしたものである。このＬ字状に突き当てられた長板状覆い板部３４１、３４２の変形、相対移動等により、空隙への異物侵入防止と分割式支承装置（分割ゴム支承体）の変形を阻害しないという両方を満足させている。
【００３８】
〔覆い体の実施の形態３〕
図１０は、覆い体の実施の形態３を示す図であって、図１０（ａ）は覆い体の斜視図、（ｂ）は平面図である。
第１ゴム支承体４１６、第２ゴム支承体４１７には、各々、対向する側の側面に、薄板状で長手方向に延びた弾性変形可能な長板状覆い板部４４１、４４２が設けられている。長板状覆い板部４４１、４４２は例えば老化防止剤が混練りされたゴム材料で形成されたものであり、第１ゴム支承体４１６、第２ゴム支承体４１７に、各々、一体に加硫成形されている。そして、第１ゴム支承体４１６、第２ゴム支承体４１７を上沓、下沓に固定する際、長板状覆い板部４４１、４４２を、長板状覆い板部４４１、４４２の厚さ方向に重ね合わせ、空隙を覆うようにしたものである。長板状覆い板部４４１、４４２を重ね合わせたことと、長板状覆い板部４４１、４４２自体の変形とにより、空隙への異物侵入防止と分割式支承装置（分割ゴム支承体）の変形を阻害しないという両方を満足させている。
【００３９】
〔覆い体の実施の形態４〕
図１１は、覆い体の実施の形態４を示す図であって、図１１（ａ）は覆い体の斜視図、（ｂ）は平面図である。
第１ゴム支承体５１６、第２ゴム支承体５１７には、各々、対向する側の側面に、薄板状で長手方向に延びた弾性変形可能な平板状の第１長板状覆い板部５４１、凹状嵌合部５４２ａが形成された第２長板状覆い板部５４２が設けられている。第１長板状覆い板部５４１、第２長板状覆い板部５４２は例えば老化防止剤が混練りされたゴム材料で形成され、第１ゴム支承体５１６、第２ゴム支承体５１７に、各々、一体に加硫成形されている。第１長板状覆い板部５４１の先端側は、凹状嵌合部５４２ａに嵌め合わされる凸状嵌合部５４１ａとなっている。そして、第１ゴム支承体５１６、第２ゴム支承体５１７を上沓、下沓に固定する際、第１長板状覆い板部５４１と第２長板状覆い板部５４２の凹状嵌合部５４２ａとを嵌め合わせ、空隙を覆うようにしたものである。凸状嵌合部５４１ａと凹状嵌合部５４２ａとが嵌合することと、第１長板状覆い板部５４１、第２長板状覆い板部５４２自体の変形とにより、空隙への異物侵入防止と分割式支承装置（分割ゴム支承体）の変形を阻害しないという両方を満足させている。
【００４０】
〔覆い体の実施の形態５〕
図１２は、覆い体の実施の形態５を示す図であって、図１２（ａ）は覆い体の斜視図、（ｂ）は平面図である。
第１ゴム支承体６１６、第２ゴム支承体６１７には、各々、対向する側の側面に、薄板状で長手方向に延びた弾性変形可能な一方の櫛歯部６４１ａが形成された長板状覆い板部６４１、他方の櫛歯部６４２ａが形成された長板状覆い板部６４２が設けられている。長板状覆い板部６４１、長板状覆い板部６４２は例えば老化防止剤が混練りされたゴム材料で形成され、第１ゴム支承体６１６、第２ゴム支承体６１７に、各々、一体に加硫成形されている。長板状覆い板部のゴム材料としては、積層ゴム、天然ゴム、クロロプレンゴム、エチレンプロピレンゴムなどが好適である。長板状覆い板部６４２には、櫛歯部６４２ａに後方側に平板部６４２ｂが形成されている。そして、第１ゴム支承体６１６、第２ゴム支承体６１７を上沓、下沓に固定する際、一方の櫛歯部６４１ａ、他方の櫛歯部６４２ａを噛み合わせるとともに、平板部６４２ｂが一方の櫛歯部６４１ａの後部側を覆い、空隙を覆うようにしたものである。一方の櫛歯部６４１ａ、他方の櫛歯部６４２ａを噛み合わせと、長板状覆い板部６４１、６４２自体の変形等とにより、空隙への異物侵入防止と分割式支承装置（分割ゴム支承体）の変形を阻害しないという両方を満足させている。
【００４１】
〔覆い体の実施の形態６〕
図１３は、覆い体の実施の形態６を示す図であって、図１３（ａ）は覆い体の斜視図、（ｂ）は、図１３（ａ）をＡ−Ａ線で切断した断面図である。図１４は、覆い体の実施の形態６の変形例を示す斜視図である。
この実施の形態６は、空隙に矢羽根状パッキンまたは円形状パッキンを挿入、装着する構成のものである。上側厚板補強板７５１、ゴム体７５２、薄板補強板７５３、下側薄板補強板等からなる分割ゴム支承体７１７、上側厚板補強板７６１、ゴム体７６２、薄板補強板７６３、下側薄板補強板等からなる分割ゴム支承体７１６の間に形成された空隙７１０ａに矢羽根状パッキン７４１が挿入、装着されている。上側厚板補強板７５１、７６１に、矢羽根状パッキン７４１の翼部７４１ａを嵌め合わせ、上沓７１１または下沓で挟み込んで固定している。
【００４２】
図１４は、パッキンの形状が矢羽根形状から円形状に変更になったものである。その他は変更がない。分割ゴム支承体８１６、分割ゴム支承体８１７の間の空隙に円形状パッキン８４１が挿入、装着されている。
矢羽根状パッキン、円形状パッキンを空隙に挿入することにより、空隙への異物侵入防止と分割式支承装置（分割ゴム支承体）の変形を阻害しないという両方を満足させている。
なお、矢羽根状パッキン、円形状パッキンは、矢羽根形状、円形状の穴内の表面側に弾性変形可能な仕切壁を設け、矢羽根状パッキン、円形状パッキン内に異物が侵入しないようにしておいてもよい。また、パッキンの形状は、矢羽根状、円形状に限定されることはなく、弾性変形可能な形状であればよい。さらに、パッキンの材質は、ゴム、エラストマー、軟質の合成樹脂など弾性変形可能で、長期間に亘って経年変化が生じないものであればよい。
【００４３】
〔覆い体の実施の形態７〕
図１５は、覆い体の実施の形態７を示す図であって、図１５（ａ）は正面図、図１５（ｂ）は、図１５（ａ）をＢ−Ｂ線で切断した断面図である。覆い板部材９４１は、平面視略Ω字状の例えば老化防止剤が混練りされたゴム、エラストマー、軟質の合成樹脂等弾性部材で形成されたものである。覆い板部材９４１は、両端の平面部を、上沓９１１及び下沓にボルト９４２、９４２等締結部材で固定されている。また、覆い板部材９４１は、ゴム支承体９１６の厚板補強板と、ゴム支承体９１７の厚板補強板にボルトで固定されていてもよい。このように、弾性変形可能な覆い板部材で空隙を覆うことで、空隙への異物侵入防止と分割式支承装置（分割ゴム支承体）の変形を阻害しないという両方を満足させている。
なお、覆い板部材は、平面視の形状が、Ｕ字状、Ｗ字状など弾性変形可能な他の形状のものであってもよい。
【００４４】
以上、本発明の実施の形態を説明したが、本発明はこれに限定されるものではない。本発明の、目的、趣旨を逸脱しない範囲内での変更が可能なことはいうまでもない。例えば、構造物を橋梁で説明を行っているが、建築物他の構造物であってもよい。
【図面の簡単な説明】
【００４５】
【図１】図１は、本発明の分割式支承装置に支承された橋梁の全体図である。
【図２】図２は、本発明の構造物の分割式支承装置の平面図である。
【図３】図３は、本発明の構造物の分割式支承装置を一部断面にした正面図である。
【図４】図４は、実施の形態１の覆い体の瓦状覆い板部を示し、（ａ）は平面図、（ｂ）は正面図、（ｃ）は側面図である。
【図５】図５は、実施の形態１の覆い体（瓦状覆い板部）の斜視図である。
【図６】図６は、実施の形態１の分割ゴム支承体と覆い体（瓦状覆い板部）との関係を示す説明図であって、（ａ）は分割ゴム支承体が変形していない状態を示し、（ｂ）は分割ゴム支承体が変形した状態を示す説明図である。
【図７】図７は、実施の形態１の覆い体の変形例を示した側面図である。
【図８】図８は、実施の形態１の覆い体の他の変形例を示した正面図である。
【図９】図９は、実施の形態２の覆い体を示し、（ａ）は斜視図、（ｂ）は平面図である。
【図１０】図１０は、実施の形態３の覆い体を示し、（ａ）は斜視図、（ｂ）は平面図である。
【図１１】図１１は、実施の形態４の覆い体を示し、（ａ）は斜視図、（ｂ）は平面図である。
【図１２】図１２は、実施の形態５の覆い体を示し、（ａ）は斜視図、（ｂ）は平面図である。
【図１３】図１３は、実施の形態６の覆い体を示し、（ａ）は斜視図、（ｂ）は断面図である。
【図１４】図１４は、実施の形態６の覆い体の変形例を示す斜視図である。
【図１５】図１５は、実施の形態７の覆い体を示し、（ａ）は正面図、（ｂ）は断面図である。
【符号の説明】
【００４６】
１…橋梁
１０…分割式支承装置
１１…上沓
１２…下沓
１５…分割ゴム支承体
１６…第１ゴム支承体
１７…第２ゴム支承体
１８…第３ゴム支承体
１９…第４ゴム支承体
２０…橋台
２１…橋脚
３０…桁
４０、１４０、２４０…覆い体
４１〜４６、１４１、１４２、２４１〜２４４…瓦状覆い板部
３４１、３４２、４４１、４４２、５４１、５４２、６４１、６４２…長板状覆い板部
７４１…矢羽根状パッキン
８４１…円形状パッキン
９４１…覆い板部材
【図１】
2009030255.tif 000003
【図２】
2009030255.tif 000004
【図３】
2009030255.tif 000005
【図４】
2009030255.tif 000006
【図５】
2009030255.tif 000007
【図６】
2009030255.tif 000008
【図７】
2009030255.tif 000009
【図８】
2009030255.tif 000010
【図９】
2009030255.tif 000011
【図１０】
2009030255.tif 000012
【図１１】
2009030255.tif 000013
【図１２】
2009030255.tif 000014
【図１３】
2009030255.tif 000015
【図１４】
2009030255.tif 000016
【図１５】
2009030255.tif 000017